(57)【要約】【課題】人爪の輪郭に合わせて円弧状のコンフェティを製作することができる、ネイルアート用治具を提供する。【解決手段】爪模擬体２２を有するネイルアート用治具２０であって、前記爪模擬体２２は、人爪の輪郭や形状に合わせて円弧状の表面２２１を具備するとともに、可撓性を有する弾性体により構成され、この構成により、前記爪模擬体２２の表面を変形させることができることを特徴とする。よって、円弧状のコンフェティ３０を直接製作することができるとともに、人爪又は人工爪に迅速に貼り付けることができる。【選択図】図４
0003155685.tif 000002
【実用新案登録請求の範囲】
【請求項１】
爪模擬体を有するネイルアート用治具であって、前記爪模擬体は、人爪の輪郭に対応する所望の曲面を具備するとともに、可撓性を有する弾性体により構成され、この構成により、前記爪模擬体の曲面を変形させることができることを特徴とするネイルアート用治具。
【請求項２】
前記爪模擬体は、複合材質により構成されることを特徴とする請求項１に記載のネイルアート用治具。
【考案の詳細な説明】
【技術分野】
【０００１】
本考案は人爪に装着する絵柄描写チップ（以下、コンフェティという）の製作に用いられるネイルアート用治具に係り、特に人爪の形状や輪郭に合わせて所望の曲面を具えるコンフェティを製作することができるネイルアート用治具に関する。
【背景技術】
【０００２】
女性は、美しさを好むという天性を持ち、例えば、爪にコンフェティやネイルアートチップ（つけ爪）等のネイルアートを介して、指の美しさを強調することにより、全体のファッションや服装にピンポイントのおしゃれや美感を与えるとともに、より一体感に溢れるファッションやおしゃれを追求している。特に、最近は、ネイルオイルや溶剤の色、香りが豊富になっていることから、ネイルアートがますます流行するようになっている。
【０００３】
図１乃至図３は、人爪又は人工爪に装着するコンフェティ１０を製造する製造方式を示すものである。まず、各種の溶剤、絵柄を平板１２上に設置する。溶剤が固化した後、平板１２を湾曲することにより、コンフェティ１０を平板１２から剥離し、所望のコンフェティ１０を得る。
【０００４】
上記製造方式では、平板１２上に各種の形状や絵柄を予め製作しておけば、様々なコンフェティ１０を形成することができる。コンフェティ１０は、平板１２上に製作されるので、製作後の形状が水平状になる。しかし、人爪や人工爪の形状が略円弧状を呈するため、前記水平状のコンフェティ１０は、そのままで人爪や人工爪に貼って装着すると、爪に当てたときのフィット感が悪く、全体の美感に影響を与えやすいという問題があった。
【０００５】
上記問題を解決するために、通常は、ネイリストが溶剤やアクリルパウダー等の製作材料をつけることにより、コンフェティ１０の形状を補修する方法が採用されている。しかし、このような方法は、必然的により多くの製作材料を費やし、製作コストが嵩み、製作の難しさも増すことになる。
【考案の概要】
【考案が解決しようとする課題】
【０００６】
そこで、本考案の目的は、人爪の形状や輪郭に合わせて所望の円弧状を呈するコンフェティを製作することができるネイルアート用治具を提供することにある。
【０００７】
また、本考案のもう一つの目的は、治具からコンフェティをより迅速に剥離することができるネイルアート用治具を提供することにある。
【課題を解決するための手段】
【０００８】
上記目的を達成するために、本考案の請求項１は、爪模擬体を有するネイルアート用治具であって、前記爪模擬体は、人爪の輪郭に合わせて所望の曲面を具備するとともに、可撓性を有する弾性体により構成され、この構成により、前記爪模擬体の曲面を変形させることができることを特徴とする、ネイルアート用治具である。
【０００９】
本考案の請求項２は、前記爪模擬体は、複合材質により構成される。
【考案の効果】
【００１０】
本考案は、上記構成を有するものであり、次のような効果がある。
＜イ＞爪模擬体が可撓性を有する弾性体により構成されるため、その可撓性により、治具からコンフェティをより迅速に剥離することができる。
＜ロ＞爪模擬体が円弧状の表面を有するため、人爪や人工爪の輪郭や形状に合わせた円弧状のコンフェティを直接製作することができる。その結果、ネイリストがコンフェティ上において、絵柄描写を行い、従来のような補修方法を採用することなく、製作材料や工期を省き、フィット感がより良いコンフェティを完成することができる。
【図面の簡単な説明】
【００１１】
【図１】公知のコンフェティの製作台座の斜視図である。
【図２】図１における断面線２−２に沿う断面図である。
【図３】コンフェティを製作台座から剥離する公知の方法の模式図である。
【図４】本考案に係るネイルアート用治具の斜視図である。
【図５】図４における断面線５−５に沿う断面図である。
【図６】本考案に係るネイルアート用治具から、コンフェティを剥離した状態の模式図である。
【考案を実施するための形態】
【００１２】
以下に図面を参照しながら本考案を実施するための最良の形態について詳細に説明する。
【００１３】
図４と図５に示すように、本考案の好適な実施例として、ネイルアート用治具２０は、一つの爪模擬体２２を含む。
【００１４】
爪模擬体２２は、弾性体からなり、人爪の輪郭や形状に合わせて円弧状の表面２２１を具備する。該爪模擬体２２は可撓性を有し、これにより、円弧状の表面２２１を変形させることができる。また、該爪模擬体２２は、一種の複合材質により構成されてもよい。
【００１５】
図５と図６に示すように、本考案は、良好な弾性を有するため、治具からコンフェティ３０を剥離することができる。すなわち、ネイリストが爪模擬体２２の円弧状の表面２２１上においてペイントし、コンフェティ３０の製作を完成する。完成後、可撓性を有するネイルアート用治具２０を湾曲することにより、コンフェティ３０を爪模擬体２２の円弧状の表面２２１から迅速に剥離することができる。このため、操作に便利なだけでなく、ネイリストが大量のネイルオイル等の製作材料を使用せずに、人爪又は人工爪に前記コンフェティ３０を直接且つ迅速に貼り付けることができるとともに、労力及び材料を省くことができるという作用・効果を奏する。
【００１６】
他の好適な実施例として、爪模擬体２２は、硬質プラスチック材により構成されてもよい。これにより、円弧状の表面２２１を変形することができる。そして、上記した作用・効果と同様なものを得ることができる。ここでは、その詳細を省略する。
【００１７】
上述した実施例は、この考案の好ましい実施の形態であって、この考案の実施の範囲を限定するものではない。したがって、当業者のなし得る修正、もしくは変更であって、この考案の精神の下においてなされ、この考案に対して均等の効果を有するものは、いずれもこの考案の登録請求の範囲に含まれるものとする。
【符号の説明】
【００１８】
１０    コンフェティ
１２    平板
２０    ネイルアート用治具
２２    爪模擬体
２２１  円弧状の表面
３０    コンフェティ
【図１】
0003155685.tif 000003
【図２】
0003155685.tif 000004
【図３】
0003155685.tif 000005
【図４】
0003155685.tif 000006
【図５】
0003155685.tif 000007
【図６】
0003155685.tif 000008